(57)【要約】【課題】大判で薄いシート状電子部品などのシート状の電子部品を、撓みや折り目を生じさせずに高い品質で収納が可能なシート状電子部品の収納用ラックを提供することを目的とするものである。【解決手段】複数枚のシート状電子部品３を略垂直に収納する収納用ラックであって、第一、第二の把持手段２，４を備え、前記第一の把持手段２で、前記シート状電子部品３の上辺を挟持して前記シート状電子部品３を懸架し、前記シート状電子部品３の下辺を前記第二の把持手段４で挟持するとともに、前記第二の把持手段４を上下自在に移動可能とした。【選択図】図１
2007308183.tif 000002
【特許請求の範囲】
【請求項１】
シート状電子部品を略垂直に収納する収納用ラックであって、第一、第二の把持手段を備え、前記第一の把持手段で、前記シート状電子部品の上辺を挟持して前記シート状電子部品を懸架し、前記シート状電子部品の下辺を前記第二の把持手段で挟持するとともに、前記第二の把持手段を上下自在としたシート状電子部品の収納用ラック。
【請求項２】
第一、第二の把持手段の少なくとも一方を導電性の材料で構成するとともに、接地した請求項１に記載のシート状電子部品の収納用ラック。
【発明の詳細な説明】
【技術分野】
【０００１】
本発明は、特にグリーンシートなどのシート状電子部品の収納用ラックに関するものである。
【背景技術】
【０００２】
従来、シート状の電子部品を複数枚積層して製造するコイルやコンデンサなどの積層チップ部品、多層基板などの回路基板の製造工程では、製造工程間での仕掛かり品の収納を、配線パターンなどがない周縁部のみを把時し、収納用ラックなどに水平に挿入して収納をしていた。
【０００３】
なお、この出願の発明に関連する先行技術文献情報としては、例えば、特許文献１が知られている。
【特許文献１】特開平１０−１１３２３８号公報
【発明の開示】
【発明が解決しようとする課題】
【０００４】
上記従来の収納方法では、シート状電子部品を大判化した場合、中央部が撓むことで配線パターン精度の劣化が生じ、また最悪の場合折り目が生じることでシートが白化して使用不可能となる問題があった。
【０００５】
そこでシート状電子部品の厚みに略等しい間隔で複数の櫛歯を対向して配置した治具に、シート状電子部品の下端側を挿入して立てかけ、略垂直に収納する収納用ラックが開発された。
【０００６】
しかしながら上記従来例は、回路基板など、比較的厚みがあり、剛性の大きなシート状電子部品を対象としたものであり、グリーンシートなどの剛性の小さい薄いシート状部品では立てかけることができず、撓みや折り目を生じさせ、品質の劣化が生じるという課題を有していた。
【０００７】
そこで本発明は、グリーンシートなど厚みが薄く、剛性の低いシート状部品を品質の劣化なく収納する収納用ラックを提供することを目的とする。
【課題を解決するための手段】
【０００８】
上記目的を達成するために、本発明は、シート状電子部品を略垂直に収納する収納用ラックであって、第一、第二の把持手段を備え、前記第一の把持手段で、前記シート状電子部品の上辺を挟持して懸架し、前記シート状電子部品の下辺を前記第二の把持手段で挟持するとともに、前記第二の把持手段を上下自在としたシート状電子部品の収納用ラックであるため、シート状電子部品には常に適度な張力がかかった状態で懸架されているため、収納時にシート状電子部品の中央部が撓むことがなく、配線パターンの劣化や折り目による白化などの品質の劣化を防止できる作用効果が得られる。
【発明の効果】
【０００９】
本発明のシート状電子部品の収納用ラックは、シート状電子部品の相対向する上、下辺を２つの把持手段で挟持し、下端側の把持手段により適度な張力をかけた状態で前記シート状電子部品を懸架した状態で収納するものであり、シート状電子部品の中央部に撓みやしわなどの折り目が生じないため、配線パターンの劣化や白化などの品質の劣化を防止することができる。さらに、その把持手段を導電性の部材で構成して接地することで、収納中あるいは収納前の工程でシート状電子部品に生じる静電気を除去することが可能となるため、シート状電子部品同士の接触やダストの付着による品質の劣化を防止できる効果を同時に奏するものである。
【発明を実施するための最良の形態】
【００１０】
以下、本発明の一実施の形態におけるシート状電子部品の収納用ラックについて図を用いて説明する。
【００１１】
図１は本発明の一実施の形態におけるシート状電子部品の収納用ラックの斜視図である。
【００１２】
本発明のシート状電子部品の収納用ラックは、天板１に一定間隔で配置した第一の把持手段２を複数設けている。この第一の把持手段２は、その一端が固定され、他端が自由端である片持ち梁構造の矩形板２ａと、その矩形板２ａの自由端に取り付けられ、長方形状、または正方形状のシート状電子部品３を両面から挟持するための対向する２つの挟持部２ｂ、２ｃから構成されている。
【００１３】
シート状電子部品３の上辺を、挟持部２ｂ、２ｃで挟持する。次にシート状電子部品３の下辺を第二の把持手段４で把持する。第二の把持手段４も第一の把持手段２と同様に、その一端が固定され、他端が自由端である片持ち梁構造の矩形板４ａと、その矩形板４ａの自由端に取り付けられ、シート状電子部品３を両面から挟持するための対向する２つの挟持部４ｂ、４ｃから構成されている。
【００１４】
第二の把持手段４は、基台５に固定されておらず自由であり、挟持部４ｂ、４ｃでシート状電子部品３の下辺を挟持して把持する。基台５には、前記第二の把持手段４を水平方向に位置決めするための凹状の溝６を複数備えており、第二の把持手段４が前記溝６の底部に当接しないように背板７により天板１の高さが調整固定されている。さらに、第一の把持手段２の把持位置と、凹状の溝６の中心位置とが略垂直となるように配置されているため、シート状電子部品３は、その下辺が垂直方向に自由な状態で懸架されることになる。したがって、シート状電子部品３には常に張力がかかった状態となり、折り目を防止し、白化による品質の劣化を防止することができる。
【００１５】
ここで、図２を用いて第一の把持手段２の詳細を説明する。
【００１６】
図２は、第一の把持手段２の要部斜視図である。第一の把持手段２は、天板１（図１）に固定された角柱状の固定手段８の対向する２側面に複数設けられている。一端を固定され、他端を自由端とした片持ち梁構造の矩形板２ａと、その自由端に設けられ相対向して接離する２つの挟持部２ｂ、２ｃから構成されている。前記２つの挟持部２ｂおよび２ｃは、矩形板２ａに力が加わらないときは、常に互いに当接した状態となっている。矩形板２ａの自由端を弾性変形させて撓ませることで挟持部２ｂ、２ｃを互いに引き離した後に、シート状電子部品３の素子や電極が形成されていない上辺を挿入して挟持する。この挟持する力は、矩形板２ａの弾性変形力で調整が可能であるが、挟持部２ｂ、２ｃとして弾性体を選択することで、挟持したときシート状電子部品３にかかる力を分散して平均化することが可能である。
【００１７】
図３に、第二の把持手段４の構造を示す。一端を固定端とし、他方を自由端とした片持ち梁構造の矩形板４ａを備え、自由端側に２つの挟持部４ｂ、４ｃを対向させて設けている。第一の把持手段２と同様に、自由端側を撓ませることで前記２つの挟持部を引き離し、シート状電子部品３の下辺を挿入して挟持する。
【００１８】
上述した第一、第二の把持手段２、４の少なくとも一方を全て導電性の部材で構成し、天板１、背板７、基台５も全て導電性の部材で構成し接地させる。そうすることで、工程中あるいは収納中にシート状電子部品３に蓄積される静電気を除去することが可能となるため、静電気によるダスト等の吸着や、シート状電子部品３どうしの接触を防止することができるため安定な品質が得られる。
【００１９】
ここで、第二の把持手段４を導電性の部材で構成した場合、基台５のみを導電性の部材として接地することでシート状電子部品３に蓄積された静電気は除去することが可能となる。
【００２０】
なお、本実施形態に係るシート状電子部品３の収納用ラックは、図１〜図３のみに限定されるものではなく、その要旨の範囲内で種々に変更することができる。
【００２１】
例えば、図４に示すように第二の把持手段４でシート状電子部品３の上、下辺を挟持し、図５に示す固定用ラックに挿入して収納してもよい。図５に示す固定用ラックは、基台１０の構造は基台５と同様であり、その表面には第二の把持手段４を水平方向に位置決めするための凹形状の第一の溝１１を備えている。天板１２には、溝１１と同形状の第二の溝１３を第一の溝１１に対向する位置に設けている。この第二の溝１３の底部には、天板１２を貫通するスリット１４が設けられているため、その両端の２辺を把持したシート状電子部品３を挿入することで前記シート状電子部品３を垂直方向自在に懸架することができる。
【００２２】
また、第一の把持手段２の別の一例として、矩形板２ａに支点を設けることで挟持部２ｂ、２ｃを開閉させてシート状電子部品３を挟持させてもよい。このとき、シート状電子部品３を挟持する力は、コイルバネなどの弾性体を介して付与する。
【００２３】
また、シート状電子部品３を位置決めして確実に固定するため、挟持部２ｂ、２ｃに凸部とそれに嵌合する凹部を設けることで、把持するときに前記凹凸でシート状電子部品３の上、下辺を貫通して挟持してもよい。
【産業上の利用可能性】
【００２４】
本発明に係るシート状電子部品の収納用ラックは、シート状電子部品の相対向する２辺を２つの把持手段で挟持し、下端側の把持手段により適度な張力をかけた状態で前記シート状電子部品を懸架した状態で収納するものであり、シート状電子部品の中央部に撓みやしわなどの折り目が生じないため、配線パターンの劣化や白化などの品質の劣化を防止することができる。さらに、その把持手段を導電性の部材で構成して接地することで、収納中あるいは収納前の工程でシート状電子部品に生じる静電気を除去することが可能となるため、シート状電子部品同士の接触やダストの付着による品質の劣化を防止できる効果を同時に奏するものであるため、シート状電子部品などのシート状電子部品の収納用ラック等に有用である。
【図面の簡単な説明】
【００２５】
【図１】本発明の一実施の形態におけるシート状電子部品の収納用ラックの斜視図
【図２】第一の把持手段の斜視図
【図３】第二の把持手段の斜視図
【図４】他の実施例における把持手段で挟持したシート状電子部品の斜視図
【図５】他の実施例を示す収納用ラックの斜視図
【符号の説明】
【００２６】
２  第一の把持手段
３  シート状電子部品
４  第二の把持手段
【図１】
2007308183.tif 000003
【図２】
2007308183.tif 000004
【図３】
2007308183.tif 000005
【図４】
2007308183.tif 000006
【図５】
2007308183.tif 000007